(57)【要約】      （修正有）【課題】混在するガラス製ボトルと合成樹脂製ボトル（ペットボトル）を上方に吸引選別することで、比重が小さい合成樹脂製ボトルのみを選別処理することができる使用済みボトルの選別装置を提供する。【解決手段】合成樹脂製ボトルとガラス製ボトルが混在した使用済みボトルを搬送する主搬送コンベヤベルト２と、主搬送コンベヤベルト２により搬送されている、ガラス製ボトルより比重の小さい合成樹脂製ボトルを吸引回収するように、主搬送コンベヤベルト２の上方に、開口部３が下向きに配置された吸引ホッパ４と、吸引ホッパ４から空気を吸引する吸引用ブロアと、吸引ホッパ４の開口部３と主搬送コンベヤベルト２との間に設けられた、通気性を有する無端ベルトから成る副搬送コンベヤベルト５と、を備える。【選択図】図１
0003192447.tif 000002
【実用新案登録請求の範囲】
【請求項１】
使用済みボトルから合成樹脂製ボトル（ＰＢ）とガラス製ボトル（ＧＢ）とを選別する使用済みボトルの選別装置（１）であって、
合成樹脂製ボトル（ＰＢ）とガラス製ボトル（ＧＢ）が混在した使用済みボトルを搬送する主搬送コンベヤベルト（２）と、
前記主搬送コンベヤベルト（２）により搬送されている、ガラス製ボトル（ＧＢ）より比重の小さい合成樹脂製ボトル（ＰＢ）を吸引回収するように、該主搬送コンベヤベルト（２）の上方に、開口部（３）が下向きに配置された吸引ホッパ（４）と、
前記吸引ホッパ（４）から空気を吸引する吸引用ブロア（８）と、
前記吸引ホッパ（４）の開口部（３）と前記主搬送コンベヤベルト（２）との間に設けられた、通気性を有する無端ベルトから成る副搬送コンベヤベルト（５）と、を備え、
前記主搬送コンベヤベルト（２）で搬送される合成樹脂製ボトル（ＰＢ）とガラス製ボトル（ＧＢ）から前記吸引ホッパ（４）で吸い上げた合成樹脂製ボトル（ＰＢ）のみを前記副搬送コンベヤベルト（５）に吸引吸着させて搬送するように構成した、ことを特徴とする使用済みボトルの選別装置。
【請求項２】
前記副搬送コンベヤベルト（５）は、前記吸引ホッパ（４）の開口部（３）から一部食み出すように配置した、ことを特徴とする請求項１の使用済みボトルの選別装置。
【請求項３】
前記副搬送コンベヤベルト（５）は金網製の無端ベルトである、ことを特徴とする請求項１又は２の使用済みボトルの選別装置。
【請求項４】
前記副搬送コンベヤベルト（５）に複数の仕切り板（２１）を取り付けた、ことを特徴とする請求項１、２又は３の使用済みボトルの選別装置。
【請求項５】
前記副搬送コンベヤベルト（５）の下方位置には、吸引されて選別搬送途中に落下した合成樹脂製ボトル（ＰＢ）又はガラス製ボトル（ＧＢ）を元の主搬送コンベヤベルト（２）上に戻すように回収ガイド（１５）を、前記主搬送コンベヤベルト（２）と主枠体（６）との間に渡って設けた、ことを特徴とする請求項１、２、３又は４の使用済みボトルの選別装置。
【請求項６】
前記副搬送コンベヤベルト（５）で吸着搬送した合成樹脂製ボトル（ＰＢ）を落下させる位置の下方、かつ前記主搬送コンベヤベルト（２）と主枠体（６）との間に、合成樹脂製ボトル（ＰＢ）を捕集部（１０）へ案内するように傾斜板から成る落下案内板（１６）を設けた、ことを特徴とする請求項１、２、３、４又は５の使用済みボトルの選別装置。
【考案の詳細な説明】
【技術分野】
【０００１】
本考案は、廃棄されたボトルを再資源化する際にその材質で選別する技術に係り、特に合成樹脂製ボトルとガラス製ボトルを選別する使用済みボトルの選別装置に関する。
【背景技術】
【０００２】
飲料水用等の合成樹脂製ボトルの一種であるペットボトル（ポリエチレンテレフタレート製ボトル）は、これが廃棄されたときにその主成分であるポリエチレンテレフタレートを分離、回収して、再生ペットボトルの製造や、再生繊維の原料に利用されている。ペットボトルは、自治体関係や一般企業から収集車によって回収され、ストック場に一時貯留される。その後、手作業処理ラインでペットボトルを選別し、圧縮・梱包し、フレーク加工工場に配送される。一部は繊維などに再利用するため専門業者に配送される。
【０００３】
一般にペットボトル等の廃プラスチック類は、大きな袋で集められ、処理工場においてすべて開封し、手作業処理ラインにより中身を確認し、そこに混在しているペットボトル（合成樹脂製ボトル）、ガラス製ボトル、王冠などの金属、ティッシュペーパーなどの紙類を目視で探し出して一つ一つ取り除かれる。ペットボトルは、水洗いされ栓を外したものが大部分である。しかし、栓をした状態、中身が全部捨てられていない状態、ペットボトル以外のものも混在する。そこで、手作業処理ラインにおいて作業員は、一つ一つ確認して選別している。このように選別したペットボトル（合成樹脂製ボトル）にもガラス製ボトルが混在することが多く、更にこれらを選別する必要があり、手作業処理ラインに多く人員が必要であった。
【０００４】
そこで、使用済みボトル等を自動で選別する技術が提案されている。例えば、特許文献１の特開２００３−１６６８７９号公報「使用済みボトルの色別・材質別選別装置」には、使用済みボトルを色と材質との相異により選別するための選別装置であって、多数のボトルを上側ベルトの上面で搬送する単一のベルトコンベアと、ベルトコンベア上方の固定位置で、搬送される各ボトルの色相と該ボトルのコンベア上の固定座標上の位置とを検出する色検出手段と、ベルトコンベア上方の固定位置で、搬送される各ボトルの材質と該ボトルの上側ベルト上の固定座標上の位置を検出する材質検出手段と、ベルトコンベア上方に配置した材質検出手段及び色検出手段より検出した特定のボトル選別するために、ベルトコンベアの排出側に設けられた選別手段と、色検出手段と材質検出手段とからの信号により所定の色及び又は所定の材質を有するボトルを座標上に特定して当該特定のボトルを選別する信号を選別手段に出力する制御手段と、から成る使用済みボトルを着色・材質別に選別するボトル選別装置が提案されている。
【０００５】
また、特許文献２の特開平１０−７６２３０号公報「風力選別装置」には、空き缶や空き瓶（ガラス製ボトル）等の固形ごみと収容袋等の可塑性ごみとが混在した混合ごみを落下させる落下シュートの途中に、収容袋等の可塑性ごみを空気の吸引力により網状コンベアベルトの表面に吸着させた状態で前記落下シュートとは別の箇所まで搬送する吸引選別手段を備えた風力選別装置が提案されている。
【先行技術文献】
【特許文献】
【０００６】
【特許文献１】特開２００３−１６６８７９号公報
【特許文献２】特開平１０−７６２３０号公報
【考案の概要】
【考案が解決しようとする課題】
【０００７】
しかし、特許文献１の「使用済みボトルの色別・材質別選別装置」は、ペットボトル内に中身が残っている状態、又は小さく潰されている状態では噴射ノズルにより吹き飛ばすことができないという問題を有していた。
【０００８】
特許文献２の「風力選別装置」における吸引選別手段の配置構成では、収容袋等の可塑性ごみのように、風の抵抗を受けやすい廃棄物は吸引選別しやすい。しかし、ガラス製ボトルとペットボトル（合成樹脂製ボトル）のように形状が略円筒形と類似し、風の抵抗が略同じ廃棄物との選別には不向きであるという問題を有していた。
【０００９】
本考案は、かかる問題点を解決するために創案されたものである。すなわち、本考案の目的は、混在するガラス製ボトルと合成樹脂製ボトル（ペットボトル）を上方に吸引選別することで、比重の小さい合成樹脂製ボトルのみを選別処理することができる使用済みボトルの選別装置を提供することにある。
【課題を解決するための手段】
【００１０】
本考案は、使用済みボトルから合成樹脂製ボトル（ＰＢ）とガラス製ボトル（ＧＢ）とを選別する使用済みボトルの選別装置（１）であって、合成樹脂製ボトル（ＰＢ）とガラス製ボトル（ＧＢ）が混在した使用済みボトルを搬送する主搬送コンベヤベルト（２）と、前記主搬送コンベヤベルト（２）により搬送されている、ガラス製ボトル（ＧＢ）より比重の小さい合成樹脂製ボトル（ＰＢ）を吸引回収するように、該主搬送コンベヤベルト（２）の上方に、開口部（３）が下向きに配置された吸引ホッパ（４）と、前記吸引ホッパ（４）から空気を吸引する吸引用ブロア（８）と、前記吸引ホッパ（４）の開口部（３）と前記主搬送コンベヤベルト（２）との間に設けられた、通気性を有する無端ベルトから成る副搬送コンベヤベルト（５）と、を備え、前記主搬送コンベヤベルト（２）で搬送される合成樹脂製ボトル（ＰＢ）とガラス製ボトル（ＧＢ）から前記吸引ホッパ（４）で吸い上げた合成樹脂製ボトル（ＰＢ）のみを前記副搬送コンベヤベルト（５）に吸引吸着させて搬送するように構成した、ことを特徴とする。
【００１１】
前記副搬送コンベヤベルト（５）は、前記吸引ホッパ（４）の開口部（３）から一部食み出すように配置した。
前記副搬送コンベヤベルト（５）は金網製の無端ベルトにする、ことが好ましい。
前記副搬送コンベヤベルト（５）に複数の仕切り板（２１）を取り付ける、ことが好ましい。
【００１２】
前記副搬送コンベヤベルト（５）の下方位置には、吸引されて選別搬送途中に落下した合成樹脂製ボトル（ＰＢ）又はガラス製ボトル（ＧＢ）を元の主搬送コンベヤベルト（２）上に戻すように回収ガイド（１５）を、前記主搬送コンベヤベルト（２）と主枠体（６）との間に渡って設ける、ことが好ましい。
【００１３】
前記副搬送コンベヤベルト（５）で吸着搬送した合成樹脂製ボトル（ＰＢ）を落下させる位置の下方、かつ前記主搬送コンベヤベルト（２）と主枠体（６）との間に、合成樹脂製ボトル（ＰＢ）を捕集部（１０）へ案内するように傾斜板から成る落下案内板（１６）を設ける、ことが好ましい。
【考案の効果】
【００１４】
本考案では、吸引用ブロア（８）を始動すると、主搬送コンベヤベルト（２）の上方に配置された吸引ホッパ（４）によって、比重の小さい合成樹脂製ボトル（ＰＢ）が上方へ吸引され、その途中の通気性を有する副搬送コンベヤベルト（５）に吸着される。この副搬送コンベヤベルト（５）が合成樹脂製ボトル（ＰＢ）のみを搬送することによりガラス製ボトル（ＧＢ）から選別することができる。比重が大きく上方へ吸引されなかったガラス製ボトル（ＧＢ）は、そのまま主搬送コンベヤベルト（２）で搬送される。これにより使用済みの合成樹脂製ボトル（ＰＢ）とガラス製ボトル（ＧＢ）とを精度高く選別することができる。
なお、中身が入った状態の合成樹脂製ボトル（ＰＢ）は吸引されず、そのままガラス製ボトル（ＧＢ）と共に主搬送コンベヤベルト（２）で搬送され、手作業で選別される。これにより、空の合成樹脂製ボトル（ＰＢ）のみ選別することができるため、その後容易に再生作業をすることができる。
【００１５】
金網製の無端ベルトの副搬送コンベヤベルト（５）では、通気性が良好なため吸引ホッパ（４）の吸引力を弱めることなく、この副搬送コンベヤベルト（５）に合成樹脂製ボトル（ＰＢ）を吸引吸着させ、そのまま主搬送コンベヤベルト（２）の脇へ搬送することができる。金網製の無端ベルトではその表面に小さい凹凸があるために、重なるように吸着させた合成樹脂製ボトル（ＰＢ）が搬送中に落下することを防止することができる。
搬送コンベヤベルト（５）は吸引ホッパ（４）の開口部（３）から一部食み出すように配置されているので、吸引された合成樹脂製ボトル（ＰＢ）は、この開口部（３）から外れた位置まで搬送されると、吸引効果が無くなり、その自重で落下することになる。
【００１６】
複数の仕切り板（２１）を取り付けた副搬送コンベヤベルト（５）では、主搬送コンベヤベルト（２）上に多数の合成樹脂製ボトル（ＰＢ）を吸引するときに、多くの塊の状態で吸引しても、この仕切り板（２１）が均すことができ、その後合成樹脂製ボトル（ＰＢ）の搬送途中で落下することを防止することができる。
回収ガイド（１５）を主搬送コンベヤベルト（２）と主枠体（６）との間に設けたものは、副搬送コンベヤベルト（５）で選別搬送の途中で落下した合成樹脂製ボトル（ＰＢ）を元の主搬送コンベヤベルト（２）上に戻すことができる。
落下案内板（１６）を主搬送コンベヤベルト（２）と主枠体（６）との捕集部（１０）の間に設けたものは、副搬送コンベヤベルト（５）で捕集部（１０）近くまで選別搬送され、途中で落下した合成樹脂製ボトル（ＰＢ）を捕集部（１０）に確実に集めることができる。
【図面の簡単な説明】
【００１７】
【図１】本考案の使用済みボトルの選別装置を示す一部切欠いた正面図である。
【図２】本考案の使用済みボトルの選別装置の副搬送コンベヤベルトを示し、（ａ）は平面図、（ｂ）は一部切欠いた正面図、（ｃ）は底面図である。
【図３】本考案の選別装置を組み込んだ設備配置の一例を示す概略説明図である。
【図４】本考案の使用済みボトルの選別装置と手選別の作業状態を示す平面図である。
【図５】本考案の使用済みボトルの選別装置と手選別の作業状態であり、主搬送コンベヤベルトを切断した状態を示す正面図である。
【図６】本考案の使用済みボトルの選別装置と粉砕機との位置関係を示す説明図である。
【図７】仕切り板を取り付けた副搬送コンベヤベルトの変形例を示し、（ａ）は一部切欠いた正面図、（ｂ）は平面図である。
【考案を実施するための形態】
【００１８】
本考案の使用済みボトルの選別装置は、搬送されている合成樹脂製ボトルとガラス製ボトルから比重の小さい合成樹脂製ボトルのみを上方へ吸引して搬送しながら選別する装置である。
【実施例１】
【００１９】
以下、本考案の好ましい実施の形態を図面を参照して説明する。
図１は本考案の使用済みボトルの選別装置を示す一部切欠いた正面図である。図２は本考案の使用済みボトルの選別装置の副搬送コンベヤベルトを示し、（ａ）は平面図、（ｂ）は一部切欠いた正面図、（ｃ）は底面図である。図３は本考案の選別装置を組み込んだ設備配置の一例を示す概略説明図である。
本考案の使用済みボトルの選別装置１は、合成樹脂製ボトルＰＢとガラス製ボトルＧＢが混在した使用済みボトルを搬送する主搬送コンベヤベルト２と、この主搬送コンベヤベルト２の上方に、開口部３が下向きに配置された吸引ホッパ４と、この吸引ホッパ４の開口部３と主搬送コンベヤベルト２との間に設けられた、通気性を有するベルトから成る副搬送コンベヤベルト５と、を備えた装置である。この副搬送コンベヤベルト５により、使用済みボトルから合成樹脂製ボトルＰＢとガラス製ボトルＧＢとを選別する。ガラス製ボトルＧＢは合成樹脂製ボトルＰＢより比重が大きいものであり、焼酎などの酒類を入れる陶器製ボトルも選別の対象となる。
【００２０】
［主搬送コンベヤベルト］
主搬送コンベヤベルト２は、合成樹脂製ボトルＰＢとガラス製ボトルＧＢが混在した使用済みボトルを搬送するコンベヤベルトである。例えばゴム製又は合成樹脂製の無端ベルトである。この主搬送コンベヤベルト２は主枠体６に架け渡したプーリ７に掛け止め、一部のプーリ７にモータ等の駆動装置で所定方向へ周回するようになる。
【００２１】
一般に主搬送コンベヤベルト２上に、合成樹脂製ボトルＰＢとガラス製ボトルＧＢを投入する際に、使用済みボトル同士の絡み合いを解きほぐしながら連続供給するために、振動フィーダを設けることが多い。図示していないが、主搬送コンベヤベルト２自体に振動を与えて、次々に供給される使用済みボトルを適当に分散させるようにすることができる。
【００２２】
［吸引ホッパと副搬送コンベヤベルトとの配置］
吸引ホッパ４は、下部に長方形状の開口部３と上部に吸引ブロア８（図３参照）に連結するダクト９を備えている。この吸引ホッパ４は、主搬送コンベヤベルト２の所定位置の上方に、開口部３を下向きに配置したものである。開口部３は副搬送コンベヤベルト５の形状に合わせて略長方形状になる。但し、副搬送コンベヤベルト５の平面部分の全面を覆う必要はない。図１に示すように、吸引吸着した合成樹脂製ボトルＰＢを主搬送コンベヤベルト２の側方へ搬送し、捕集部１０で落下させるために、副搬送コンベヤベルト５の一部は、この開口部３から食み出すようになっている。
【００２３】
このように副搬送コンベヤベルト５は、吸引ホッパ４の開口部３から一部食み出すように配置する。図１では紙面の右側が食み出した状態である。副搬送コンベヤベルト５は吸引ホッパ４の開口部３から一部食み出した部分があるので、吸引吸着した合成樹脂製ボトルＰＢは、この開口部３から外れた位置まで搬送されると、吸引効果が無くなり、その自重で捕集部１０に落下し、選別されることになる。
【００２４】
捕集部１０に集められた合成樹脂製ボトルＰＢは、図３に示すように、そのまま粗粉砕機１１のホッパに落下させ粉砕処理する。あるいは、図示していないが、ベルトコンベアを用いて粗粉砕機１１まで搬送する。
【００２５】
［副搬送コンベヤベルト］
副搬送コンベヤベルト５は、図２に示すように、吸引ホッパ４の開口部３と主搬送コンベヤベルト２との間に設けられた、通気性を有する無端ベルトである。この副搬送コンベヤベルト５は枠体１２に架け渡したプーリ１３に掛け止め、一部のプーリ７にモータ等の駆動装置１４で所定方向へ周回するようになる。例えば副搬送コンベヤベルト５は可撓性があって風を通しやすい金網製のベルトを用いる。金網製の副搬送コンベヤベルト５では、通気性が良好なため吸引ホッパ４の吸引力を弱めることなく、この副搬送コンベヤベルト５に合成樹脂製ボトルＰＢを吸引吸着させ、そのまま主搬送コンベヤベルト２の脇へ搬送することができる。
【００２６】
金網製のベルトではその表面に小さい凹凸があるために、重なるように吸引吸着した合成樹脂製ボトルＰＢが搬送中に落下することを防止できる。なお、副搬送コンベヤベルト５は、合成樹脂製ボトルＰＢを吸着しやすいように通気性があれば、金網に限定されず、多数の通気孔を開けたゴム製又は樹脂製の無端ベルトでも良い。
【００２７】
［副搬送コンベヤベルトの傾斜配置］
副搬送コンベヤベルト５は、主搬送コンベヤベルト２の面と略平行になるようにその面を配置した実施例を示している。しかし、この副搬送コンベヤベルト５は、必ずしもこのように平行に配置する必要はない。図示していないが、主搬送コンベヤベルト２の搬送方向に対して副搬送コンベヤベルト５の面を傾斜した状態で配置することもできる。例えば、主搬送コンベヤベルト２で搬送されてくる合成樹脂製ボトルＰＢを捕えやすいように、進入口側が主搬送コンベヤベルト２面から高く、出口側が低いように傾斜させて配置することもできる。このように配置すると、吸引ホッパ４の空気の流れが主搬送コンベヤベルト２の搬送方向と同じになり吸引力を有効に利用することができ、選別効率を高めることができる。
【００２８】
［回収ガイド］
主搬送コンベヤベルト２の周囲に合成樹脂製ボトルＰＢとガラス製ボトルＧＢが散乱しないように、主枠体６より下方位置に設けられている。この主搬送コンベヤベルト２の位置は、この周囲で選別作業をする人の作業効率を維持するために、人が疲れない程度の高さ位置にしている。
【００２９】
更に、主搬送コンベヤベルト２の長手方向の両側に、図１に示すように、その周回方向に沿った横断面形状が湾曲形状を有する回収ガイド１５を主搬送コンベヤベルト２と主枠体６との間に設けた。この回収ガイド１５は、副搬送コンベヤベルト５の下方位置には、吸引されて選別搬送の途中に落下した合成樹脂製ボトルＰＢ又は希に吸い上げたガラス製ボトルＧＢを元の主搬送コンベヤベルト２上に戻す機能を有する。
【００３０】
［落下案内板］
主搬送コンベヤベルト２の長手方向の片側には、副搬送コンベヤベルト５で吸着搬送した合成樹脂製ボトルＰＢを落下させる位置の下方、かつこの主搬送コンベヤベルト２と主枠体６との間に合成樹脂製ボトルＰＢの捕集部１０への落下を案内するように傾斜板からなる落下案内板１６を設けた。この落下案内板１６により、捕集部１０近くで落下した合成樹脂製ボトルＰＢを捕集部１０に確実に集めることができる。
【００３１】
［設備配置例］
本考案の使用済みボトルの選別装置１は、図３の設備配置例に示すように、建屋の上層にこの選別装置１を配置し、その下層に粗粉砕機１１、圧縮梱包機１７、吸引ホッパ４から空気を吸引する吸引用ブロワ８及びサイクロン１８を配置した。この設備配置例は合成樹脂製ボトルＰＢの粉砕物を梱包するまでの処理工程を示す。
【００３２】
粗粉砕機１１は、本考案の選別装置１で選別した合成樹脂製ボトルＰＢを、所定の形状及び大きさの粉砕物に粉砕する。粉砕した粉砕物は、ベルトコンベヤ１９で搬送して圧縮梱包機１７へ投下し、この圧縮梱包機１７により所定の大きさに梱包される。その後梱包した状態で再生処理工場へ運搬される。フレーク状の粉砕物は、使用目的に応じて、別の粉砕機（図示していない）を用いて、更に細かく粉砕することにより、所望の種々寸法のフレーク状のプラスチック原料を製造することができる。
【００３３】
一方、本考案の選別装置１の吸引ホッパ４から空気を吸引する吸引用ブロワ８（ＰＥＴ吸引用ブロワー）では、副搬送コンベヤベルト５の網目又は隙間等を通過して吸引した粉塵粒子やガラス片等を吸引する。サイクロン１８では、吸引した空気中からガラス片、粉塵粒子を分離する。
なお、このような設備配置例は一例であり、この図示した配置例に限定されない。
【００３４】
［使用例］
図４は本考案の使用済みボトルの選別装置と手選別の作業状態を示す平面図である。図５は本考案の使用済みボトルの選別装置と手選別の作業状態であり、主搬送コンベヤベルトを切断した状態を示す正面図である。図６は本考案の使用済みボトルの選別装置と粉砕機との位置関係を示す説明図である。
本考案の使用済みボトルの選別装置１では、吸引用ブロア８を始動すると、主搬送コンベヤベルト２の上方に配置された吸引ホッパ４から空気が吸引されて、比重の小さい合成樹脂製ボトルＰＢは吸引され、その途中の通気性を有する副搬送コンベヤベルト５に吸着される。吸着された合成樹脂製ボトルＰＢは、吸引ホッパ４と主搬送コンベヤベルト２との間に配置された副搬送コンベヤベルト５に吸着される。
【００３５】
この吸着された状態で副搬送コンベヤベルト５の周回により、合成樹脂製ボトルＰＢが搬送され、ガラス製ボトルＧＢから選別することができる。比重が大きいため上方へ吸引されなかったガラス製ボトルＧＢは、そのまま主搬送コンベヤベルト２上で搬送される。これにより使用済みの合成樹脂製ボトルＰＢとガラス製ボトルＧＢとを選別することができる。
【００３６】
なお、中身が入った状態の合成樹脂製ボトルＰＢは吸い上げられず、そのままガラス製ボトルＧＢと共に主搬送コンベヤベルト２で搬送され、作業員により手選別される。これにより、空の合成樹脂製ボトルＰＢのみ選別することができるため、その後容易に再生作業をすることができる。
【００３７】
この副搬送コンベヤベルト５は、図６に示すように、吸引ホッパ４の開口部３から一部食み出すように配置されている。副搬送コンベヤベルト５に吸着した状態の合成樹脂製ボトルＰＢは、この開口部３から外れた位置まで搬送されると、吸引効果が無くなり、その自重で捕集部１０に落下する。この捕集部１０からシュート２０（投下管）を通して粉砕機１１に投入される。この粉砕機１１には主搬送コンベヤベルト２の下流において手選別により選別された合成樹脂製ボトルＰＢもシュート２０（投下管）を通して投入される。
【００３８】
［副搬送コンベヤベルトの変形例］
図７は仕切り板を取り付けた副搬送コンベヤベルトの変形例を示し、（ａ）は一部切欠いた正面図、（ｂ）は平面図である。
副搬送コンベヤベルト５には、その搬送方向に複数の仕切り板２１を取り付けることが好ましい。この仕切り板２１は、その長手方向の横断面が略Ｌ字形状になり、副搬送コンベヤベルト５の短辺方向と平行になるように取り付けた。
【００３９】
このように複数の仕切り板２１を取り付けた副搬送コンベヤベルト５では、主搬送コンベヤベルト２上に多数の合成樹脂製ボトルＰＢを吸い上げるときに、多くの塊の状態で吸い上げても、この仕切り板２１が均すことができ、その後合成樹脂製ボトルＰＢの搬送途中で落下することを防止することができる。
【００４０】
なお、本考案は、混在するガラス製ボトルＧＢと合成樹脂製ボトルＰＢ（ペットボトル）を上方に吸引選別することで、比重が小さい合成樹脂製ボトルＰＢのみを選別処理することができれば、上述した考案の実施の形態に限定されず、本考案の要旨を逸脱しない範囲で種々変更できることは勿論である。
【産業上の利用可能性】
【００４１】
本考案の使用済みボトルの選別装置は、主に合成樹脂製ボトルＰＢ（ペットボトル）とガラス製ボトルＧＢとを再資源化する際に利用できる。更に、比重の異なる廃棄物であればそれを選別するときに利用することができる。
【符号の説明】
【００４２】
１  選別装置
２  主搬送コンベヤベルト
３  開口部
４  吸引ホッパ
５  副搬送コンベヤベルト
８  吸引用ブロア
１０  捕集部
１５  回収ガイド
１６  落下案内板
２１  仕切り板
ＰＢ  合成樹脂製ボトル
ＧＢ  ガラス製ボトル
【図１】
0003192447.tif 000003
【図２】
0003192447.tif 000004
【図３】
0003192447.tif 000005
【図４】
0003192447.tif 000006
【図５】
0003192447.tif 000007
【図６】
0003192447.tif 000008
【図７】
0003192447.tif 000009